(57)【要約】【課題】体内に挿入された内視鏡を所定の挿入位置で固定したまま回転又は揺動させることができる内視鏡ホルダーを提供する。【解決手段】内視鏡ホルダー１は、挿通孔２を備えるホルダー本体３と、挿通孔２に挿通た内視鏡Ｅを挟持する把持部材７ａ，７ｂと、把持部材７ａ，７ｂを互いに離間する方向に付勢する第１の弾性部材１２ａ，１２ｂと、把持部材７ａを把持部材７ｂ方向に押圧する押圧部材１３と、押圧状態を保持又は解除するスイッチング機構１７と、把持部材７ａ，７ｂに設けられたローラー１０と、把持部材７ｂを揺動自在に支持する第２の弾性部材１５とを備える。【選択図】  図３
2017185202.tif 000002
【特許請求の範囲】
【請求項１】
体内に挿入された内視鏡を所定の挿入位置で固定して保持する内視鏡ホルダーであって、
内視鏡が挿通される挿通孔を備える中空円筒状のホルダー本体と、
該挿通孔の長さ方向に延在する板状体からなり、該挿通孔に挿通された該内視鏡に当接されて該内視鏡を挟持する第１及び第２の把持部材と、
該第１及び第２の把持部材の間に配設され該第１及び第２の把持部材を互いに離間する方向に付勢する第１の弾性部材と、
該第１の弾性部材の付勢力に抗して該第１の把持部材を該第２の把持部材方向に押圧する押圧部材と、
該押圧部材による押圧状態を保持又は解除するスイッチング機構と、
該第１及び第２の把持部材の該内視鏡に当接する面に該挿通孔の長さ方向に沿って回転自在に設けられたローラーと、
該第２の把持部材と該挿通孔の内壁との間に配設され該第２の把持部材を該挿通孔の長さ方向に対して揺動自在に支持する第２の弾性部材とを備えることを特徴とする内視鏡ホルダー。
【請求項２】
請求項１記載の内視鏡ホルダーにおいて、該第１の把持部材と該押圧部材との間に配設され該第１の把持部材を該挿通孔の長さ方向に対して揺動自在に支持する第３の弾性部材を備えることを特徴とする内視鏡ホルダー。
【請求項３】
請求項１又は２記載の内視鏡ホルダーにおいて、前記第２の弾性部材は前記挿通孔の長さ方向に沿って少なくとも２ヶ所に配設されることを特徴とする内視鏡ホルダー。
【請求項４】
請求項１〜請求項３のいずれか１項記載の内視鏡ホルダーにおいて、前記挿通孔の内壁面に前記第１及び第２の把持部材が相互に近接することを規制する規制部材を備えることを特徴とする内視鏡ホルダー。
【請求項５】
請求項１〜請求項４のいずれか１項記載の内視鏡ホルダーにおいて、前記挿通孔の中心軸を挟んで該挿通孔内に少なくとも１対立設された柱状部材を備え、前記第１及び第２の把持部材は該柱状部材が挿通される孔部を備え、該孔部は該柱状部材に対し少なくとも該挿通孔の長さ方向に間隙を備えることを特徴とする内視鏡ホルダー。
【請求項６】
請求項１〜請求項５のいずれか１項記載の内視鏡ホルダーにおいて、前記ホルダー本体の先端の外周面に設けられ該ホルダー本体をマウスピースに着脱自在に固定する固定部材を備えることを特徴とする内視鏡ホルダー。
【請求項７】
請求項１〜請求項５のいずれか１項記載の内視鏡ホルダーにおいて、前記ホルダー本体を任意の位置及び姿勢で支持するアームを備え、該ホルダー本体は該アームの先端部に一体的に固定され、又は該先端部に着脱自在に取り付けられることを特徴とする内視鏡ホルダー。
【請求項８】
請求項７記載の内視鏡ホルダーにおいて、前記アームの基端部をベッドのフレーム又はレール部若しくは他の固定用部材に着脱自在に固定するアーム固定手段を有することを特徴とする内視鏡ホルダー。
【請求項９】
請求項７又は請求項８記載の内視鏡ホルダーにおいて、前記内視鏡は大腸内視鏡であることを特徴とする内視鏡ホルダー。
【請求項１０】
請求項１〜請求項９のいずれか１項記載の内視鏡ホルダーにおいて、前記挿通孔内に挿通される内視鏡と該挿通孔の内壁との間を密閉する脱気防止弁を有することを特徴する内視鏡ホルダー。
【発明の詳細な説明】
【技術分野】
【０００１】
本発明は、内視鏡ホルダーに関する。
【背景技術】
【０００２】
従来、体内に挿入された内視鏡を所定の挿入位置で固定して保持する内視鏡ホルダーとして、操作部の先端に開閉自在に設けられた１対の半円筒状のクリップと、該クリップの内面に長さ方向に延在する回転自在の複数のローラーとを備えるものが知られている（特許文献１参照）。
【０００３】
前記内視鏡は、体内に挿入されたときに所定の挿入位置で体内を観察し、又は所要の処置を行うことがあり、この場合には該挿入位置に固定されることが望まれる。そこで、前記従来の内視鏡ホルダーによれば、体内に挿入された内視鏡を前記１対の半円筒状のクリップで挟持して把持することにより、所定の挿入位置で固定して保持することができる。
【０００４】
また、前記内視鏡は、前記挿入位置に固定された状態でその周囲を観察し、又は所要の処置を行うために回転することが望まれることがある。このとき、前記従来の内視鏡ホルダーによれば、前記クリップの内面に回転自在の複数のローラーを備えているので、前記挿入位置に固定された状態の前記内視鏡を該ローラーにより回転させることができる。
【先行技術文献】
【特許文献】
【０００５】
【特許文献１】特開２０１５−１９８９３３号公報
【発明の概要】
【発明が解決しようとする課題】
【０００６】
また、前記内視鏡は、前記挿入位置に固定された状態で、先端部を腸壁や胃壁等に近接させるため、軸方向に対して揺動することが望まれる。
【０００７】
本発明は、かかる事情に鑑み、体内に挿入された内視鏡を所定の挿入位置で回転自在に固定して保持することができ、しかも該挿入位置に固定された状態の該内視鏡を揺動させることができる内視鏡ホルダーを提供することを目的とする。
【課題を解決するための手段】
【０００８】
かかる目的を達成するために、本発明の内視鏡ホルダーは、体内に挿入された内視鏡を所定の挿入位置で固定して保持する内視鏡ホルダーであって、内視鏡が挿通される挿通孔を備える中空円筒状のホルダー本体と、該挿通孔の長さ方向に延在する板状体からなり、該挿通孔に挿通された該内視鏡に当接されて該内視鏡を挟持する第１及び第２の把持部材と、該第１及び第２の把持部材の間に配設され該第１及び第２の把持部材を互いに離間する方向に付勢する第１の弾性部材と、該第１の弾性部材の付勢力に抗して該第１の把持部材を該第２の把持部材方向に押圧する押圧部材と、該押圧部材による押圧状態を保持又は解除するスイッチング機構と、該第１及び第２の把持部材の該内視鏡に当接する面に該挿通孔の長さ方向に沿って回転自在に設けられたローラーと、該第２の把持部材と該挿通孔の内壁との間に配設され該第２の把持部材を該挿通孔の長さ方向に対して揺動自在に支持する第２の弾性部材とを備えることを特徴とする。
【０００９】
本発明の内視鏡ホルダーは、中空円筒状のホルダー本体の挿通孔内に、該挿通孔の長さ方向に延在する板状体からなる第１及び第２の把持部材とを備えており、該第１及び第２の把持部材の間には、該第１及び第２の把持部材を互いに離間する方向に付勢する第１の弾性部材が配設されている。そこで、前記第１の把持部材は、押圧部材により前記第１の弾性部材の付勢力に抗して前記第２の把持部材方向に押圧されることにより、前記内視鏡を該第２の把持部材との間に挟持する。前記押圧部材による押圧状態はスイッチング機構により保持され、この結果、本発明の内視鏡ホルダーは、前記内視鏡を前記第１及び第２の把持部材の間に保持することができ、体内に挿入された該内視鏡を所定の挿入位置で固定することができる。
【００１０】
このとき、前記第１及び第２の把持部材は、前記内視鏡に当接する面に前記挿通孔の長さ方向に沿ってローラーが設けられており、該ローラーは回転自在とされている。そこで、前記第１及び第２の把持部材の間に挟持された前記内視鏡は、前記ローラーにより、体内の所定の挿入位置に固定されたまま回転することができる。
【００１１】
また、このとき、前記第２の把持部材は前記挿通孔の内壁との間に配設された第２の弾性部材により、前記挿通孔の長さ方向に対して揺動自在に保持されている。したがって、前記第１及び第２の把持部材の間に挟持された前記内視鏡は、体内の所定の挿入位置に固定されたまま、前記挿通孔の長さ方向、換言すれば該内視鏡の軸方向に対して前記第１及び第２の把持部材とともに揺動することができる。
【００１２】
また、前記第１の把持部材は、前記スイッチング機構により前記押圧部材による押圧状態が解除されると、前記第１の弾性部材の付勢力により原状に復帰することができる。
【００１３】
本発明の内視鏡ホルダーにおいて、前記第１の把持部材と前記押圧部材との間に配設され前記第１の把持部材を該挿通孔の長さ方向に対して揺動自在に支持する第３の弾性部材を備えてもよい。
【００１４】
これによれば、前記第１の把持部材も、前記押圧部材との間に配設された第３の弾性部材により、前記挿通孔の長さ方向に対して揺動自在に保持されているので、前記第１及び第２の把持部材の間に挟持された前記内視鏡を、より容易に、前記挿通孔の長さ方向に対して前記第１及び第２の把持部材とともに揺動することができる。
【００１５】
本発明の内視鏡ホルダーにおいて、前記第２の弾性部材は前記挿通孔の長さ方向に沿って少なくとも２ヶ所に配設されることが好ましい。前記第２の弾性部材が前記挿通孔の長さ方向に沿って少なくとも２ヶ所に配設されていることにより、前記第２の把持部材の揺動を安定に行うことができる。
【００１６】
また、本発明の内視鏡ホルダーは、前記挿通孔の内壁面に前記第１及び第２の把持部材が相互に近接することを規制する規制部材を備えることが好ましい。本発明の内視鏡ホルダーは、前記挿通孔の内壁面に前記規制部材を備えることにより、前記内視鏡が前記第１及び第２の把持部材の間に過度に強固に挟持されることを防止して、該内視鏡の損傷を防止することができる。
【００１７】
また、本発明の内視鏡ホルダーは、前記挿通孔の中心軸を挟んで該挿通孔内に少なくとも１対立設された柱状部材を備え、前記第１及び第２の把持部材は該柱状部材が挿通される孔部を備え、該孔部は該柱状部材に対し少なくとも該挿通孔の長さ方向に間隙を備えることが好ましい。
【００１８】
前記第１及び第２の把持部材は前記孔部を備え、該孔部に前記柱状部材が挿通されているので、前記押圧部材により押圧され、或いは押圧が解除されたときには、該柱状部材に沿って移動することができる。
【００１９】
一方、前記第１及び第２の把持部材が前記のように揺動する際には、前記柱状部材との干渉により該揺動が妨げられることが懸念される。しかし、本発明の内視鏡ホルダーでは、前記孔部は前記柱状部材に対し少なくとも前記挿通孔の長さ方向に間隙を備えているので、前記第１及び第２の把持部材が揺動したときにも、該柱状部材が該第１及び第２の把持部材に干渉することを避けることができる。
【００２０】
また、本発明の内視鏡ホルダーは、前記ホルダー本体の先端の外周面に設けられ該ホルダー本体をマウスピースに着脱自在に固定する固定部材を備えることが好ましい。本発明の内視鏡ホルダーは、前記固定部材により前記マウスピースに固定されることにより、該マウスピースを介して体内に挿入されている前記内視鏡を保持することができる。
【００２１】
また、本発明の内視鏡ホルダーは、前記ホルダー本体を任意の位置及び姿勢で支持するアームを備え、該ホルダー本体は該アームの先端部に一体的に固定され、又は該先端部に着脱自在に取り付けられてもよい。これによれば、内視鏡ホルダーをアームで任意の位置及び姿勢で支持することにより、種々の状況に応じた適切な位置及び姿勢で内視鏡を保持することができる。
【００２２】
この場合、本発明の内視鏡ホルダーは、前記アームの基端部をベッドのフレーム又はレール部若しくは他の固定用部材に着脱自在に固定するアーム固定手段を有してもよい。これにより、ベッドなどにアームを固定し、アームでホルダー本体をベッド上の空間の任意の位置において任意の姿勢で保持することができる。これにより、内視鏡を、ベッド上で手技が施される患者の様々な状況に応じた適切な位置及び姿勢で保持することができる。
【００２３】
また、本発明の内視鏡ホルダーは、これによって保持される内視鏡が大腸内視鏡であってもよい。これによれば、大腸内視鏡を上記のように適切に保持ながら、ベッド上の患者に対して、大腸内視鏡による検査などを行うことができる。
【００２４】
また、本発明の内視鏡ホルダーは、前記挿通孔内に挿通される内視鏡と該挿通孔の内壁との間を密閉する脱気防止弁を有してもよい。これによれば、内視鏡が挿入される体内からの脱気を防止して、常に体内における内視鏡の視野を良好な状況に維持することができる。
【図面の簡単な説明】
【００２５】
【図１】本発明の内視鏡ホルダーの構成を示す斜視図。
【図２】Ａは内視鏡ホルダーをマウスピースに固定する前の状態を示す側面図、Ｂは内視鏡ホルダーをマウスピースに固定した後の状態を示す側面図。
【図３】図２のIII−III線断面図。
【図４】図３のIV−IV線断面図。
【図５】図３に示す把持部材の平面図。
【図６】図３に示す把持部材が揺動したときの状態を示す模式的断面図。
【図７】Ａは図１の内視鏡ホルダーを、アームを用いて大腸内視鏡に使用する様子を示す斜視図、ＢはＡのＹ方向に見た矢視図。
【図８】図１の内視鏡ホルダーのホルダー本体が一体的に固定されたアームの先端部を示す図。
【図９】Ａは図１の内視鏡ホルダーのホルダー本体が着脱自在に取り付けられたアームの先端部を示す正面図、Ｂはその下面図。
【図１０】図７のアームの基端部をレール付きベッドにクランプで固定する方法を示す図。
【図１１】図１０のアームの基端部が固定されたクランプの正面図。
【図１２】図７のアームの基端部をベッドフレームにクランプで固定する方法を示す図。
【図１３】図１２のアームの基端部が固定されたＣ型クランプの正面図。
【発明を実施するための形態】
【００２６】
次に、添付の図面を参照しながら本発明の実施の形態についてさらに詳しく説明する。
【００２７】
図１に示すように、本実施形態の内視鏡ホルダー１は、内視鏡Ｅが挿通される挿通孔２を備える中空円筒状のホルダー本体３からなる。ホルダー本体３は、大径部３ａと、大径部３ａの先端から突出する小径部３ｂとからなり、挿通孔２は大径部３ａ及び小径部３ｂを貫通している。また、小径部３ｂの先端には１対の突起からなる固定部材４を備えている。
【００２８】
内視鏡Ｅは、例えば図２Ａに示すように、マウスピースＰとマウスピースＰに接続されたオーバーチューブＴを介して体内の所定位置に挿入される。このとき、内視鏡ホルダー１は、挿通孔２に内視鏡Ｅが挿通された状態となっており、矢示するようにマウスピースＰ方向に移動させる。
【００２９】
このようにすると、図２Ｂに示すように、ホルダー本体３の小径部３ｂの先端に設けられた１対の突起からなる固定部材４がマウスピースＰに設けられた凹部５に嵌合され、内視鏡ホルダー１をマウスピースＰに着脱自在に固定することができる。
【００３０】
本実施形態の内視鏡ホルダー１は、図３及び図４に示すように、挿通孔２の内部に中心軸を挟んで立設された１対の柱状部材６ａ，６ｂと、挿通孔２の長さ方向に延在する板状体からなる第１及び第２の把持部材７ａ，７ｂとを備えている。第１及び第２の把持部材７ａ，７ｂは、図３に示すように、断面視円弧状面８とその両端に連設された平板状面９を備え、円弧状面８により内視鏡Ｅに当接されるようになっており、各円弧状面８には挿通孔２の長さ方向に沿って１対のローラー１０が回転自在に設けられている。
【００３１】
平板状面９には、孔部１１が設けられており、柱状部材６ａ，６ｂは孔部１１に挿通されている。この結果、第１及び第２の把持部材７ａ，７ｂは、柱状部材６ａ，６ｂに沿って移動可能とされている。
【００３２】
尚、図５では、孔部１１は挿通孔２の長さ方向に延在する長孔となっているが、孔部１１は柱状部材６ａ，６ｂに対し少なくとも挿通孔２の長さ方向に間隙を備えていればよく、挿通孔２の全周に間隙を有する丸孔であってもよい。また、孔部１１は、長孔の場合には、長さ方向の断面において第１及び第２の把持部材７ａ，７ｂの厚さ方向中央部で最も狭く、柱状部材６ａ，６ｂが挿通される間隙を有し、該中央部から表面に向かって次第に拡がる形状（Ｘ字状又は、上半分ではＶ字状、下半分ではΛ字状）を備えていてもよい。
【００３３】
また、第１及び第２の把持部材７ａ，７ｂの間には、第１及び第２の把持部材７ａ，７ｂを互いに離間する方向に付勢する第１の弾性部材としてのスプリング１２ａ，１２ｂがそれぞれ柱状部材６ａ，６ｂを軸として配設されている。
【００３４】
第１の把持部材７ａは、ホルダー本体３の大径部３ａの側壁を貫通して設けられた押圧部材１３に第３の弾性部材としてのスプリング１４を介して接続されている。スプリング１４は押圧部材１３に内蔵されている。ここで、第１の把持部材７ａは、押圧部材１３によりスプリング１２ａ，１２ｂの付勢力に抗して第２の把持部材７ｂ方向に押圧されるようになっている。なお、スプリング１４は、必須のものではなく、無くてもよい。
【００３５】
一方、第２の把持部材７ｂは、ホルダー本体３の大径部３ａの内壁面との間に配設された第２の弾性部材としてのスプリング１５により保持されている。図４に示すように、本実施形態では、スプリング１５は挿通孔２の長さ方向に沿って２ヶ所に設けられているが、１ヶ所でもよく、３ヶ所以上に設けられていてもよい。
【００３６】
押圧部材１３は、例えば、側面に設けられたラック１６をスイッチング機構としてのレバー１７に設けられた歯止め１８に係止させるラチェット機構により、第１の把持部材７ａを第２の把持部材７ｂ方向に押圧する押圧状態を保持することができる。レバー１７はスプリング１９により押圧部材１３方向に付勢されている。前記ラチェット機構では、押圧部材１３が押下されるとラック１６が歯止め１８を押すので、歯止め１８が押圧部材１３から離間する方向に退避し、ラック１６が歯止め１８を通過すると再び歯止め１８が押圧部材１３方向に移動してラック１６に係止される。
【００３７】
また、レバー１７は、図１に矢示するように、スプリング１９の付勢力に抗して押圧部材１３から離間する方向に操作することにより、歯止め１８によるラック１６の係止を解除することができ、これにより第１の把持部材７ａの前記押圧状態を解除することができる。
【００３８】
本実施形態では、押圧部材１３と前記スイッチング機構とを前記ラチェット機構により構成しているが、所謂２段ノック機構（例えば特開平９−９９６９１号公報参照）、ハートカム機構（例えば特開２０１４−１１０６８号公報参照）等により構成してもよい。
【００３９】
孔部１１は、図５に第２の把持部材７ｂを例として示すように、円弧状面８の両側の平板状面９の前後に各２ヶ所、計４ヶ所設けられている。本実施形態では、前述の４ヶ所の孔部１１に対し、柱状部材６ａ，６ｂは各平板状面９に各１本、計２本が対角線方向に設けられ、正面視したときに中心軸を挟んで１対となっている。しかし、柱状部材６ａ，６ｂは、４ヶ所の孔部１１に各１本、計４本設けるようにしてもよい。
【００４０】
尚、本実施形態の内視鏡ホルダー１は、ホルダー本体３の大径部３ａの内壁面の第１及び第２の把持部材７ａ，７ｂの間に、第１及び第２の把持部材７ａ，７ｂの近接を規制する規制部材としてのストッパー２０が突設されていてもよい。ストッパー２０を設けることにより、内視鏡Ｅが第１及び第２の把持部材７ａ，７ｂの間に過度に強固に挟持されることを防止して、内視鏡Ｅの損傷を防止することができる。ストッパー２０は挿通孔２の長さ方向に沿って所定の長さに延在していてもよく、挿通孔２の長さ方向に沿う要所に間欠的に設けられていてもよい。
【００４１】
また、内視鏡ホルダー１は、内視鏡Ｅで観察する体内からの脱気を防止して観察視野を良好に維持するための脱気防止弁２１を有してもよい。図４に示すように、脱気防止弁２１は、たとえば、小径部３ｂ後端部の径が大きくなる部分への段差を構成している面に対し、固定用の環状部材２２との間に挟んで圧着又は溶着することにより固定することができる。
【００４２】
脱気防止弁２１は、挿通孔２に内視鏡Ｅが挿通されるときに脱気防止弁２１中心部の開口穴を内視鏡Ｅが貫通するように構成され、貫通した内視鏡Ｅと挿通孔２との間を密閉する機能を有する。
【００４３】
次に、本実施形態の内視鏡ホルダー１の作動について説明する。
【００４４】
本実施形態の内視鏡ホルダー１は、例えば、マウスピースＰ及びオーバーチューブＴを介して体内の所定位置に挿入された内視鏡Ｅが挿通孔２に挿入された状態で用いられる。このとき、内視鏡ホルダー１は、図２Ｂに示すように、固定部材４をマウスピースＰに設けられた凹部５に嵌合することにより、マウスピースＰに固定されて接続される。
【００４５】
次に、図３及び図４に示す押圧部材１３を押下すると、第１及び第２の把持部材７ａ，７ｂが柱状部材６ａ，６ｂに案内されて下方に移動し、第１の把持部材７ａがスプリング１２ａ，１２ｂの付勢力に抗して第２の把持部材７ｂ方向に押圧される。このとき、前述のように、押圧部材１３のラック１６がレバー１７の歯止め１８に係止されることにより、第１の把持部材７ａが第２の把持部材７ｂ方向に押圧された押圧状態が保持され、内視鏡Ｅが第１及び第２の把持部材７ａ，７ｂの間に挟持されて保持される。この結果、内視鏡ホルダー１により、体内に挿入された内視鏡Ｅが所定の挿入位置で固定される。
【００４６】
このとき、内視鏡ホルダー１では、押圧部材１３のラック１６がレバー１７の歯止め１８に係止されるラチェット機構を備えており、第１の把持部材７ａを段階的に第２の把持部材７ｂに近接させることができる。この結果、内視鏡Ｅの直径の大小に拘わらず、内視鏡Ｅを第１及び第２の把持部材７ａ，７ｂの間に確実に保持することができる。
【００４７】
また、内視鏡ホルダー１では、第１及び第２の把持部材７ａ，７ｂの円弧状面８にローラー１０が回転自在に設けられているので、内視鏡Ｅは所定の挿入位置で固定されたまま回転することができる。
【００４８】
また、内視鏡ホルダー１では、第１の把持部材７ａは押圧部材１３との間に配設されたスプリング１４により、第２の把持部材７ｂは大径部３ａの内壁との間に配設されたスプリング１５により、ともに挿通孔２の長さ方向に対して揺動自在に保持されている。そこで、内視鏡Ｅは、体内の所定の挿入位置に固定されたまま、その軸方向に対して第１及び第２の把持部材７ａ、７ｂとともに揺動することができる。
【００４９】
このとき、内視鏡ホルダー１では、柱状部材６ａ，６ｂが第１及び第２の把持部材７ａ，７ｂに備えられた孔部１１に挿通されている。従って、図６に第２の把持部材７ｂを例として示すように、第１及び第２の把持部材７ａ，７ｂが揺動したときにも柱状部材６ａ，６ｂが第１及び第２の把持部材７ａ，７ｂに干渉することを避けることができ、第１及び第２の把持部材７ａ，７ｂの揺動を円滑に行うことができる。
【００５０】
尚、本実施形態では、内視鏡ホルダー１をマウスピースＰに固定して接続するようにしているが、内視鏡ホルダー１は他の器具等に固定することができればよく、必ずしもマウスピースＰに接続しなくてもよい。
【００５１】
例えば、図７に示すように、内視鏡ホルダー１は、ホルダー本体３を支持するアーム２３を備えてもよい。この場合、ホルダー本体３は、図８のように、アーム２３の先端部に一体的に固定され、又は図９のように、アーム２３の先端部に着脱自在に取り付けられてもよい。
【００５２】
ホルダー本体３をアーム２３の先端部に着脱自在に取り付けるための手段としては、例えば図９のように、捩じりばね２４によりクランプ力を付与するクランプ２５を用いることができる。アーム２３としては、内視鏡を支持したホルダー本体３を任意の位置及び姿勢で確実に保持できる各種のアームを使用することができる。
【００５３】
図７では、内視鏡ホルダー１を大腸内視鏡２６に使用する様子が示されている。この場合、ホルダー本体３を支持するアーム２３の基端部は、患者Ｈが側臥するベッド２７に対し、アーム固定手段２８により固定される。
【００５４】
図１０に示すように、ベッド２７がレール付きベッド２９である場合、アーム固定手段２８としては、例えばアーム２３の基端部をレール付きベッド２９のレール部３０に固定するクランプ３１を用いることができる。クランプ３１は、アーム２３の基端部が固定された固定部３２と、固定部３２に先端側が螺合する蝶ねじ３３と、蝶ねじ３３によりクランプ方向に締め付けられる可動部３４とを有する。
【００５５】
レール部３０に対するクランプ３１の固定は、レール部３０の上側に可動部３４を配置し、下側に固定部３２を配置して、これらを蝶ねじ３３で上方から締め付けることにより行われる。
【００５６】
ベッド２７がベッドフレーム３５を有する場合、アーム固定手段２８としては、例えば図１２及び図１３で示されるようなアーム２３の基端部が固定されたＣ型クランプ３６を用いることができる。Ｃ型クランプ３６は、ベッドフレーム３５に対して、下側から蝶ねじ３７で締め付けることにより固定される。
【００５７】
なお、アーム固定手段２８は、上記のようにアーム２３をレール付きベッド２９のレール部３０やベッドフレーム３５に固定するものに限らず、テーブルや机などの他の固定用部材に固定するものであってもよい。
【符号の説明】
【００５８】
１…内視鏡ホルダー、  ２…挿通孔、  ３…ホルダー本体、  ４…固定部材、  ６ａ，６ｂ…柱状部材、  ７ａ…第１の把持部材、  ７ｂ…第２の把持部材、  １０…ローラー、  １１…孔部、  １２ａ，１２ｂ…スプリング（第１の弾性部材）、  １３…押圧部材、  １４…スプリング（第３の弾性部材）、  １５…スプリング（第２の弾性部材）、  １７…レバー（スイッチング機構）、  ２１…脱気防止弁、  ２２…環状部材、  ２３…アーム、  ２４…捩じりばね、  ２５…クランプ、  ２６…大腸内視鏡、  ２７…ベッド、  ２８…アーム固定手段、  ２９…レール付きベッド、  ３０…レール部、  ３１…クランプ、  ３２…固定部、  ３３, ３７…蝶ねじ、  ３４…可動部、  ３５…ベッドフレーム、  ３６…Ｃ型クランプ。
【図１】
2017185202.tif 000003
【図２】
2017185202.tif 000004
【図３】
2017185202.tif 000005
【図４】
2017185202.tif 000006
【図５】
2017185202.tif 000007
【図６】
2017185202.tif 000008
【図７】
2017185202.tif 000009
【図８】
2017185202.tif 000010
【図９】
2017185202.tif 000011
【図１０】
2017185202.tif 000012
【図１１】
2017185202.tif 000013
【図１２】
2017185202.tif 000014
【図１３】
2017185202.tif 000015